(57)【要約】【課題】換気扇の風圧または外風を用いなくとも、使用者がフィルタのメンテナンスをすることなく、フィルタに付着した埃を除去できる屋外フードを提供することを目的とする。【解決手段】壁内１に設けられ室内２と室外３を連通させるダクト４内に挿入される筒部５と、外壁６に取り付けられ略中央に開口部７を有した本体８と、下方に開口を有したフード９と、筒部５内にフィルタ１０およびシャッター１１が設けられ、シャッター１１はフィルタ１０に対して換気方向の風の風上側に位置され、シャッター１１は軸１２を中心に回動自在となる構造としてなり、シャッター１１のフィルタ１０側の面には打突部材１４を設け、部屋のドアの開閉によって生じる筒部５内の圧力変動差によってシャッター１１が開状態となったとき打突部材１４がフィルタ１０を打突し、フィルタ１０の面に付着した埃を落とすことのできる屋外フードを提供できる。【選択図】図１
2008180431.tif 000002
【特許請求の範囲】
【請求項１】
壁内に設けられ室内と室外を連通させるダクト内に挿入される筒部と、外壁に取り付けられ略中央に開口部を有した本体と、この本体を覆うようにして設けられ下方に開口を有したフードと、筒部内にフィルタおよびシャッターが設けられ、シャッターはフィルタに対して換気方向の風の風上側に位置され、また、シャッターは軸を中心に回動自在となる構造としてなり、シャッターのフィルタ側の面には、フィルタを打突する打突部材を設け、部屋のドアの開閉によって生じる筒部内の圧力変動差によってシャッターが開状態となったとき、打突部材がフィルタを打突することによって、フィルタに衝撃を与え、フィルタの面に付着した埃を落とすことのできる屋外フード。
【請求項２】
打突部材を、フィルタとの接触が点接触または部分接触となる形状とした請求項１記載の屋外フード。
【請求項３】
打突部材を、フィルタとの接触がほぼ線接触となる形状とした請求項１記載の屋外フード。
【請求項４】
フィルタの目の構造は打突部材と接触するフィルタ面の被打突部を起点にして外周方向に向かう１本または複数の伝播線と、伝播線に交わるように設けられた１本または複数の交線によってなる構造で、フィルタの被打突部からの衝撃を外周方向に伝播できる目としている請求項１または２記載の屋外フード。
【請求項５】
交線を、伝播線により構成した請求項４記載の屋外フード。
【請求項６】
被打突部を起点として外周方向に向かう複数の伝播線どうしが交わるようにして形成した請求項１、３、５のいずれかに記載の屋外フード。
【請求項７】
シャッターの面に左右方向に伸びた引掛部を設け、打突部材には引掛部に沿って左右方向に摺動可能な受け部を有して、打突部材がシャッターの面上で、引掛部に沿って動くことができる構成とした請求項１記載の屋外フード。
【請求項８】
筒部が本体固定用筒部と室外側接続筒部とで構成され、室内側接続筒部の内部にはシャッターおよびフィルタが配置され、室内側接続筒部とシャッターとフィルタとで形成される部分をフィルタユニットとし、また、本体固定用筒部とフィルタユニットとは脱着できる構造であり、かつ、フィルタユニットは本体固定用筒部との接続が、フィルタユニットのフィルタ側筒端部またはシャッター側筒端部のどちらでも可能とした構造としたものであり、フィルタユニットの方向を変えるだけで排気、給気のどちらの場合でも使用可能とした構造とした請求項１記載の屋外フード。
【発明の詳細な説明】
【技術分野】
【０００１】
本発明は、建物の換気を行うために換気風路に取り付けられる換気用屋外フードに関する。
【背景技術】
【０００２】
近年、住宅はエネルギー効率また快適性のため、気密化住宅が一般化されてきている。これにより換気の重要性が高まり、各部屋へ換気扇の設置がなされており、屋外にはその換気口に屋外フード設置されている。設置場所によっては、屋外フードの開口部から小さな虫が侵入するため、このような場所では防虫網付きの屋外フードの設置がされていた。しかしながら、このような防虫網付きの屋外フードの場合、長期にわたって換気扇等を運転すると防虫網に埃や虫が長期間にわたって堆積され、防虫網が目詰まりし、換気効率が低下するという課題があった。また、屋外フードの設置場所は高所であり、簡単に手の届く場所に設置されてないため屋外フードの設置後は防虫網が目詰まりしても人手によって掃除できないという課題があった。このような課題の解決のため、特許文献１に示すように、フィルタの前面に羽根板が設けられ、前記羽根板の各羽根にはブラシが設けられ、風力によってブラシを回転させ、ブラシによりフィルタに付着した埃や虫を払い落とす方法が知られている（例えば、特許文献１参照）。
【０００３】
しかし、このような換気口カバー材はブラシがフィルタに接触して埃を落とす構造であるため、実際には、この接触による摩擦が大きく、ブラシを回転させるためにはこの摩擦力より大きい風力が必要である。この風力を換気扇の動力でする場合には、風力を発生させる換気扇のパワーを大きくしなければならなく、このブラシを回転させるため、換気扇の動力が使われてしまうので、換気扇の効率はブラシを回転させるパワーの分だけ換気扇の消費電力が余分に発生するため、換気効率および、エネルギー効率を低下するという課題があった。また、この風力を室外で発生する外風で行おうとする場合には、風の強い地域または場所でしか実現できないという課題があった。
【０００４】
以下、その構成について図１２を参照にしながら説明する。
【０００５】
図に示すように、建物の外周に設けた換気口に開口１０１を設けた蓋板１０２と、この蓋板１０２に固定しかつ開口１０１を覆ったフィルタ１０３と、このフィルタ１０３に隣接して羽根板１０４を設け、羽根板１０４には回転自在となる羽根１０５が軸支され、各羽根１０５にはブラシ１０６が設けられてなり、風圧により羽根１０５が回転することに伴いブラシ１０６がフィルタ１０３上を摺動する構造の換気口カバー材があった。
【特許文献１】実開昭６３−１１１５０７号公報（図１）
【発明の開示】
【発明が解決しようとする課題】
【０００６】
このような従来の換気口カバーすなわち屋外フードは、換気扇の風圧によって羽根１０５を回転させ、羽根１０５に設けられたブラシ１０６をフィルタ１０３の表面上と摺動することによって、フィルタ１０３上に堆積された埃などを落とす構造となっている。
【０００７】
しかしながら、埃を掃き落とすためのブラシ１０６がフィルタ１０３上を摺動する構造であるため、ブラシ１０６とフィルタ１０３とで摩擦力が生じるため羽根１０５を回転させるにはこの摩擦力よりも大きい風圧の換気扇が必要である。またこの換気扇の風力エネルギーを使って羽根１０５を回転する構造であるため、その羽根１０５を回転させる動力分だけ換気扇の排気に使われるエネルギーが使用されるため、換気扇の消費電力が増加しまた、排気効率も低下する。その結果使用者（住居者）に電力の負担がかかってしまうという課題がある。一方、羽根１０５を室外で発生する外風で回転させようとしても、ブラシ１０６とフィルタ１０３とで摩擦力があるため、相当強い外風が必要となり、風が発生しないような場所に設置された場合にはその効果を発揮できないという課題があった。
【０００８】
本発明は上記課題を解決するもので、換気扇の風圧または外風を用いなくとも、使用者がフィルタのメンテナンスをすることなく、フィルタに付着した埃を除去できる屋外フードを提供することを目的とする。
【課題を解決するための手段】
【０００９】
本発明の屋外フードは上記目的を達成するために、壁内に設けられ室内と室外を連通させるダクト内に挿入される筒部と、外壁に取り付けられ略中央に開口部を有した本体と、この本体を覆うようにして設けられ下方に開口を有したフードと、筒部内にフィルタおよびシャッターが設けられ、シャッターはフィルタに対して換気方向の風の風上側に位置され、また、シャッターは軸を中心に回動自在となる構造としてなり、シャッターのフィルタ側の面には、フィルタを打突する打突部材を設け、部屋のドアの開閉によって生じる筒部内の圧力変動差によってシャッターが開状態となったとき、打突部材がフィルタを打突することによって、フィルタに衝撃を与え、フィルタの面に付着した埃を落とすことのできる屋外フードとしたものである。
【００１０】
この手段により、ドアの開閉などで生じる圧力変動によって、シャッターに設けられた打突部材がフィルタに衝撃を与えるので、フィルタに付着した埃が自動的に落とされ、フィルタが目詰まりしない状態に自動的に保てることができるため、フィルタの定期的な掃除をするために人がメンテナンスをする手間がなくなり、フィルタのメンテフリーが実現できる屋外フードが提供できる。
【００１１】
また、他の手段は、打突部材を、フィルタとの接触が点接触または部分接触となる形状としたものである。
【００１２】
この手段により、ドアの開閉などで生じる圧力変動によって、シャッターに設けられた打突部材がフィルタの一部分に集中的して衝撃を与えるので、フィルタに付着した埃が自動的に落とされ、フィルタが目詰まりしない状態に自動的に保てることができるため、フィルタの定期的な掃除をするために人がメンテナンスをする手間がなくなり、フィルタのメンテフリーが実現できる。
【００１３】
また、他の手段は、打突部材を、フィルタとの接触がほぼ線接触となる形状としたものである。
【００１４】
この手段により、ドアの開閉などで生じる圧力変動によって、シャッターに設けられた打突部材がフィルタの中心線付近に衝撃を与えるので、フィルタに付着した埃が自動的に落とされ、フィルタが目詰まりしない状態に自動的に保てることができるため、フィルタの定期的な掃除をするために人がメンテナンスをする手間がなくなり、フィルタのメンテフリーが実現できる。
【００１５】
また、他の手段は、フィルタの目の構造は打突部材と接触するフィルタ面の被打突部を起点にして外周方向に向かう１本または複数の伝播線と、伝播線に交わるように設けられた１本または複数の交線によってなる構造で、フィルタの被打突部からの衝撃を外周方向に伝播できる目としているものである。
【００１６】
この手段により、打突部材がフィルタの被打突部に与えた衝撃が伝播線に沿ってフィルタの外周に効果的に伝播することにより、フィルタの全面部が衝撃によって震わされる状態になるので、フィルタの全面の埃を落とすことができる。
【００１７】
また、他の手段は、交線を、伝播線により構成したものである。
【００１８】
この手段により、打突部材がフィルタの被打突部に与えた衝撃が伝播線に沿ってフィルタの外周および外周方向の伝播線間の伝播線にも効果的に伝播することにより、容易にフィルタの全面部が衝撃によって震わされる状態になるので、フィルタの全面の埃を落とすことができる。
【００１９】
また、他の手段は、被打突部を起点として外周方向に向かう複数の伝播線どうしが交わるようにして形成したものである。
【００２０】
この手段により、打突部材がフィルタの被打突部に与えた衝撃が伝播線に沿ってフィルタの外周に効果的に伝播することにより、容易にフィルタの全面部が衝撃によって震わされる状態になるので、フィルタの全面の埃を落とすことができる。
【００２１】
また、他の手段は、シャッターの面に左右方向に伸びた引掛部を設け、打突部材には引掛部に沿って左右方向に摺動可能な受け部を有して、打突部材がシャッターの面上で、引掛部に沿って動くことができる構成としたものである。
【００２２】
この手段により、打突部材が左右方向にランダムに動くことにより、フィルタ面の広い範囲の埃を落とすことができる。
【００２３】
また、他の手段は、筒部が本体固定用筒部と室内側接続筒部とで構成され、室内側接続筒部の内部にはシャッターおよびフィルタが配置され、室内側接続筒部とシャッターとフィルタとで形成される部分をフィルタユニットとし、また、本体固定用筒部とフィルタユニットとは脱着できる構造であり、かつ、フィルタユニットは本体固定用筒部との接続方向が、フィルタユニット部のフィルタ側筒端部またはシャッター側筒端部のどちらでも接続可能とした構造とする。
【００２４】
この手段により、フィルタユニットの方向を変えるだけで排気、給気のどちらの場合でも使用可能な屋外フードが提供できる。
【発明の効果】
【００２５】
本発明の屋外フードによれば、ドアの開閉などで生じる圧力変動によって、シャッターに設けられた打突部材がフィルタに衝撃を与えるので、フィルタに付着した埃が自動的に落とされ、フィルタが目詰まりしない状態に自動的に保てることができるため、フィルタの定期的な掃除をするために人がメンテナンスをする手間がなくなり、フィルタのメンテフリーが実現できる屋外フードを提供できる。
【００２６】
また、打突部材を、フィルタとの接触が点接触または部分接触としたことにより、強い衝撃をフィルタに与え、フィルタに付着した埃を強力に落とすことができる屋外フードを提供できる。
【００２７】
また、打突部材を、フィルタとの接触がほぼ線接触としたことにより、フィルタの全面に衝撃を与え、フィルタ全面に付着した埃を効率よく落とすことができる屋外フードを提供できる。
【００２８】
また、打突部材がフィルタの被打突部に与えた衝撃が伝播線に沿ってフィルタの外周に効果的に伝播することにより、フィルタの全面部が衝撃によって震わされる状態になるので、フィルタの全面の埃を落とすことができる屋外フードを供給できる。
【００２９】
また、他の手段は、交線を、伝播線により構成したことにより、フィルタの目を構成する全てを容易に震わせ、フィルタ全面に付着した埃を効率よく落とすことができる屋外フードを提供できる。
【００３０】
また、他の手段は、被打突部を起点として外周方向に向かう複数の伝播線どうしが交わるようにして形成したことにより、フィルタの目を構成する全てを容易に効率よく震わせ、フィルタ全面に付着した埃を効率よく落とすことができる屋外フードを提供できる。
【００３１】
また、打突部材が左右方向にランダムに動くことにより、フィルタ面の広い範囲の埃を落とすことができる屋外フードを供給できる。
【００３２】
また、フィルタユニットの方向を変えるだけで排気、給気のどちらの場合でも使用可能な屋外フードが提供できる。
【発明を実施するための最良の形態】
【００３３】
本発明の請求項１に記載の屋外フードは、壁内に設けられ室内と室外を連通させるダクト内に挿入される筒部と、外壁に取り付けられ略中央に開口部を有した本体と、この本体を覆うようにして設けられ下方に開口を有したフードと、筒部内にフィルタおよびシャッターが設けられ、シャッターはフィルタに対して換気方向の風の風上側に位置され、また、シャッターは軸を中心に回動自在となる構造としてなり、シャッターのフィルタ側の面には、フィルタに打突する打突部材を設け、部屋のドアの開閉によって生じる筒部内の圧力変動差によってシャッターが開状態となったとき、打突部材がフィルタを打突することによって、フィルタに衝撃を与え、フィルタの面に付着した埃を落とすことのできる屋外フードとしたものであり、ドアの開閉などで生じる圧力変動によって、シャッターに設けられた打突部材がフィルタに衝撃を与えるので、フィルタに付着した埃が自動的に落とされ、フィルタが目詰まりしない状態に自動的に保てることができるため、フィルタの定期的な掃除をするために人がメンテナンスをする手間がなくなり、フィルタのメンテフリーが実現できる屋外フードが提供できるという作用を有する。
【００３４】
また、打突部材を、フィルタとの接触が点接触または部分接触となる形状としたものであり、ドアの開閉などで生じる圧力変動によって、シャッターに設けられた打突部材がフィルタの一部分に集中的して衝撃を与え、フィルタに付着した埃が自動的に落とされるという作用を有する。
【００３５】
また、打突部材を、フィルタとの接触がほぼ線接触となる形状としたものであり、ドアの開閉などで生じる圧力変動によって、シャッターに設けられた打突部材がフィルタの中心線付近に衝撃を与え、フィルタに付着した埃が自動的に落とされるという作用を有する。
【００３６】
また、フィルタの目の構造は打突部材と接触するフィルタ面の被打突部を起点にして外周方向に向かう１本または複数の伝播線と、伝播線に交わるように設けられた１本または複数の交線によってなる構造で、フィルタの被打突部からの衝撃を外周方向に伝播できる目としているものであり、打突部材がフィルタの被打突部に与えた衝撃が伝播線に沿ってフィルタの外周に効果的に伝播することにより、フィルタの全面部が衝撃によって震わされる状態になるので、フィルタの全面の埃を落とすことができる。
【００３７】
また、交線を、伝播線により構成したものであり、打突部材がフィルタの被打突部に与えた衝撃が伝播線に沿ってフィルタの外周および外周方向の伝播線間の伝播線にも効果的に伝播することにより、容易にフィルタの全面部が衝撃によって震わされる状態になり、フィルタの全面の埃を落とすことができるという作用を有する。
【００３８】
また、被打突部を起点として外周方向に向かう複数の伝播線どうしが交わるようにして形成したものであり、打突部材がフィルタの被打突部に与えた衝撃が伝播線に沿ってフィルタの外周に効果的に伝播することにより、容易にフィルタの全面部が衝撃によって震わされる状態になり、フィルタの全面の埃を落とすことができるという作用を有する。
【００３９】
また、シャッターの面に左右方向に伸びた引掛部を設け、打突部材には引掛部に沿って左右方向に摺動可能な受け部を有して、打突部材がシャッターの面上で、引掛部に沿って動くことができる構成としたものであり、打突部材が左右方向にランダムに動くことにより、フィルタ面の広い範囲の埃を落とすことができる。
【００４０】
また、筒部が本体固定用筒部と室外側接続筒部とで構成され、室内側接続筒部の内部にはシャッターおよびフィルタが配置され、室内側接続筒部とシャッターとフィルタとで形成される部分をフィルタユニットとし、また、本体固定用筒部とフィルタユニットとは脱着できる構造であり、かつ、フィルタユニットは本体固定用筒部との接続が、フィルタユニットのフィルタ側筒端部またはシャッター側筒端部のどちらでも可能とした構造としたものであり、フィルタユニットの方向を変えるだけで排気、給気のどちらの場合でも使用可能な屋外フードが提供できる。
【００４１】
以下、本発明の実施の形態について、図面を参照しながら説明する。
【００４２】
（実施の形態１）
図１から図５に示すように、壁内１に設けられ室内２と室外３を連通させるダクト４内に挿入される筒部５と、外壁６に取り付けられ略中央に開口部７を有した本体８と、この本体８を覆うようにして設けられ下方に開口を有したフード９と、筒部５内にフィルタ１０およびシャッター１１が設けられ、シャッター１１はフィルタ１０に対して換気方向の風の風上側に位置され、また、シャッター１１は軸１２を中心に回動自在となる構造としてなり、シャッター１１のフィルタ側の面１３には、フィルタ１０を打突する打突部材１４を設け、部屋のドアの開閉によって生じる筒部５内の圧力変動差によってシャッター１１が開状態となったとき、打突部材１４がフィルタ１０を打突することによって、フィルタ１０に衝撃を与え、フィルタ１０の面に付着した埃を落とすことのできる屋外フードとしたものである。
【００４３】
上記構成において、住宅に屋外フードが設置された後、屋外フードが設置されている部屋のドアを開閉すると室内２の圧力は瞬間的に変動する。室内２はダクト４に連通しているため、ダクト４内も瞬間的に圧力変動が発生する。
【００４４】
例えば、屋外フードを排気用で設置する場合には図１のように外壁に屋外フードが設置される。そして例えば、ドアが部屋内方向に開閉するドアであった場合、ドアを開けると部屋の圧力は瞬間的に上昇する。逆にドアが部屋外方向に開閉するドアであった場合、ドアを閉めると部屋の圧力が瞬間的に上昇する。部屋の圧力が瞬間的に上昇すると、瞬間的にダクト４の内部で、室内２側から室外３側に向かう圧力波が発生し、筒部５内部のシャッター１１は軸１２を中心として回動し、勢いよくシャッター開放させることとなる。この圧力波は瞬間的であるため、シャッターは最大開状態に達すると、その後シャッター１１はもとの位置にもどる。この時、換気扇（排気用）が停止している状態であれば、シャッターはもとの状態の通り閉鎖し、一方、換気扇が運転している状態であれば、最大開放状態からやや下がった位置で、シャッター１１の自重と換気扇の風圧とがつりあった位置で保持される。シャッター１１が圧力波によって最大開状態になったときは、シャッターに設けられた打突部材１４がフィルタ１０を勢いよく叩くため、フィルタ１０に付着した埃がその衝撃によって落とされることとなる。このようにフィルタ１０に付着した埃はドアの開閉によって自動的に除去されることとなる。
【００４５】
また、屋外フードを給気用で設置する場合には図４のように、外壁に屋外フードが設置される。この場合には、例えばドアが部屋内方向に開閉するドアであった場合、ドアを閉めると部屋の圧力は瞬間的に低下する。逆にドアが部屋外方向に開閉するドアであった場合、ドアを開けると部屋の圧力が瞬間的に低下する。部屋の圧力が瞬間的に低下すると、瞬間的にダクト４の内部で室外３から室内２側に向かう圧力波が発生する。この場合も同じように、シャッター１１は軸１２を中心として回動し、勢いよくシャッター開放させることとなる。この場合の圧力波も瞬間的であるため、シャッター１１は最大開状態に達すると、その後シャッター１１はもとの位置にもどる。この時換気扇（給気用）が停止している状態であれば、シャッター１１は元の状態の通り閉鎖し、換気扇が給気運転している状態であれば、最大開放状態からやや下がった位置で、シャッター１１の自重と換気扇の風圧とがつりあった状態で保持される。この場合も、シャッター１１が圧力波によって最大開状態になったとき、シャッター１１に設けられた打突部材１４がフィルタ１０を勢いよく叩くため、フィルタ１０に付着した埃がその衝撃によって落とされることとなる。このようにフィルタ１０に付着した埃はドアの開閉によって自動的に除去されることとなる。
【００４６】
また、打突部材１４は図３のようなほぼ点接触または、部分接触となるような形状でも、図５のような、シャッター１１の先端部において開閉時の軌跡の形状に突出させて、シャッター１１の開閉動作時にフィルタ１０に対しほぼ線接触となるような打突部１４ａの形状として、フィルタ１０に打突して衝撃を加えることができれば、その形状は特に任意の形状でもかまわないが、打突部材を、フィルタ１０との接触が点接触または部分接触となる形状としたものである場合は、ドアの開閉などで生じる圧力変動によって、シャッター１１に設けられた打突部材１４がフィルタ１０の一部分に集中的して衝撃を与え、フィルタ１０に付着した埃を強力に落とすことができる、また、打突部材の打突部１４ａを、フィルタ１０との接触がほぼ線接触となる形状としたものである場合は、ドアの開閉などで生じる圧力変動によって、シャッター１１に設けられた打突部１４ａがフィルタ１０の中心線付近に衝撃を与え、フィルタ１０全面に付着した埃を効率よく落とすことができることとなる。
【００４７】
このように本発明の実施の形態１の屋外フードによれば、ドアの開閉などで生じる圧力変動によって、シャッターに設けられた打突部材がフィルタに衝撃を与えるので、フィルタ１０に付着した埃が自動的に落とされ、フィルタ１０が目詰まりしない状態に自動的に保てることができるため、フィルタ１０の定期的な掃除をするために人がメンテナンスをする手間がなくなり、フィルタのメンテフリーが実現できる屋外フードが提供できる。
【００４８】
（実施の形態２）
図６に示すように、フィルタ１０ａの目１５の構造は打突部材１４と接触するフィルタ１０ａ面の被打突部１６を起点にして外周１７方向に向かう１本または複数の伝播線１８と、伝播線１８に交わるように設けられた１本または複数の交線１９によってなる構造、または、被打突部１６を起点にして外周１７方向に向かう１本または複数の伝播線１８どうしが交わってなる構造で、フィルタ１０ａの被打突部１６からの衝撃を外周１７方向に伝播できる目１５の構造としている。
【００４９】
上記構成において、フィルタの目１５の構造は、打突部材１４が接触する部分である被打突部１６から外周１７方向に複数の伝播線１８有しており、その伝播線１８と交わるように交線１９よって目１５が構成されている。フィルタ１０ａは目１５より大きい虫が室内２に侵入するのを防止できる。また、長期に換気扇を運転した際には、このフィルタ１０ａの目１５に埃が付着することになる。そして、打突部材１４がフィルタ１０ａの被打突部１６に当たると、その衝撃は被打突部１６から複数の伝播線１８に沿ってフィルタ１０ａの外周１７方向に衝撃が伝播し、打突部材１４からの衝撃がフィルタ１０ａの全体に広がる。このように、フィルタ１０ａの全面部にこの衝撃が広がるため、フィルタ１０ａの全面部についた埃をも落とすことができる。
【００５０】
また、図７に示すように、フィルタ１０ｂは被打突部１６を起点とし、中心から渦巻き状のように外周１７に向かう曲線で構成された伝播線１８ａと、被打突部１６を起点として外周１７方向に向かう伝播線１８ａとが交わるようにして目１５ａを構成としたものであり、打突部材がフィルタ１０ｂの被打突部１６に与えた衝撃が伝播線１８ａに沿ってフィルタ１０ｂの外周および外周方向の伝播線１８間の伝播線１８にも効果的に伝播することにより、容易にフィルタ１０ｂの全面部が衝撃によって震わされる状態になり、フィルタ１０ｂの全面の埃を落とすことができる。
【００５１】
また、図８に示すように、打突部材の線形状で、被打突部１６ａが線状態となるの場合には、フィルタ１０ｃの目１５ｃは被打突部１６ａを起点として外周１７方向に向かう複数の伝播線１８ｂと、伝播線１８ｃとが交わるようにして形成としたものであり、打突部材がフィルタ１０ｃの被打突部１６ａに与えた衝撃が伝播線１８ｂ、１８ｃに沿ってフィルタ１０ｃの外周に効果的に伝播することにより、容易にフィルタ１０ｃの全面部が衝撃によって震わされる状態になり、フィルタ１０ｃの全面の埃を落とすことができる。
【００５２】
フィルタの目は、図７および図８に示すような形状であっても、打突部材がフィルタの被打突部に衝撃を与え、被打突部で受けた衝撃は伝播線に沿ってフィルタの外周方向に衝撃が伝播しフィルタの全体に広げることができるという効果に差異はない。
【００５３】
このように本発明の実施の形態２の屋外フードによれば、打突部材１４がフィルタ１０の被打突部１６に与えた衝撃が伝播線１８に沿ってフィルタ１０の外周１７に効果的に伝播することにより、フィルタ１０の全面部が衝撃によって震わされる状態になるので、フィルタ１０の全面の埃を落とすことができる。
【００５４】
（実施の形態３）
図９に示すように、シャッター１１ａの面１３ａに左右方向に伸びた引掛部２０を設け、打突部材１４ｂには引掛部２０に沿って左右方向に摺動可能な受け部２１を有して、打突部材１４ｂがシャッター１１ａの面１３ａ上で、引掛部２０に沿って動くことができる構成となっている。
【００５５】
上記構成において、シャッター１１ａの面１３ａに左右方向に伸びた引掛部２０は打突部１４ｂの受け部２１とで摺動可能な状態として嵌まるように組立てられ、ドアの開閉による圧力変動で打突部材１４ｂがフィルタ１０に当たった際には、打突部材１４ｂは衝撃の反力が加わり、打突部材１４ｂはフィルタ１０との衝突の際、左もしくは右の方向にランダムに動くこととなる。打突部材１４ｂはフィルタ１０との衝突によって、フィルタ１０に対しランダムな位置に打突されるので、フィルタ１０の特定な位置だけ衝撃が加わることなく、フィルタ１０の面の広い範囲で衝撃が加わるため、フィルタ１０面の広い範囲の埃を落とすことができる。
【００５６】
このように本発明の実施の形態３の屋外フードによれば、打突部材１４ｂが左右方向にランダムに動くことにより、フィルタ１０面の広い範囲の埃を落とすことができる。
【００５７】
（実施の形態４）
図１０および図１１に示すように、筒部５ａが本体固定用筒部２２と室内側接続筒部２３とで構成され、室内側接続筒部２３の内部にはシャッター１１およびフィルタ１０が配置され、室内側接続筒部２３とシャッター１１とフィルタ１０とで形成される部分をフィルタユニット２４とし、また、本体固定用筒部２２とフィルタユニット２４とは脱着できる構造であり、かつ、フィルタユニット２４は本体固定用筒部２２との接続方向が、フィルタユニット２４のフィルタ側筒端部２５またはシャッター側筒端部２６のどちらでも接続可能とした構造としたものであり、フィルタユニット２４の方向を変えるだけで排気、給気のどちらの場合でも使用可能とすることができる。
【００５８】
上記構成において、屋外フードを排気用として使用する場合には、フィルタユニット２４と本体固定用筒部２２との接続状態を、フィルタユニット２４の内部のフィルタ１０が室外３側に位置するような向きにし、本体固定用筒部２２の端部とフィルタユニット２４のフィルタ側筒端部２５とを合せて固定され排気用の屋外フードとして壁に設置される。
【００５９】
また、屋外フードを給気用として使用する場合には、フィルタユニット２４と本体固定用筒部２２との接続状態を、フィルタユニット２４の内部のシャッター１１が室外３側に位置するような向きにし、本体固定用筒部２２の端部とフィルタユニット２４のシャッター側筒端部２６とを合せて固定され給気用の屋外フードとして壁に設置される。
【００６０】
屋外フードは排気用または、給気用のどちらにも場合も使用されることがあるため、施工者は換気扇が排気用でも給気用でもどちらの場合でも、施工時に容易に本屋外フードのフィルタユニット２４の方向を変えるだけで、排気、給気どちらの場合でも使用可能な屋外フードが提供できる。
【００６１】
このように本発明の実施の形態４の屋外フードによれば、フィルタユニット２４の方向を変えるだけで排気、給気のどちらの場合でも使用可能な屋外フードが提供できる。
【産業上の利用可能性】
【００６２】
本発明にかかる屋外フードは、虫の侵入を防ぐことのできるフィルタを有した排気装置、空気調和装置等にも適用できる。
【図面の簡単な説明】
【００６３】
【図１】本発明の実施の形態１の屋外フードの構成を示す断面図
【図２】同屋外フードの動作を示す断面図
【図３】同屋外フードの部品の構成を示す斜視図
【図４】同屋外フードの動作を示す断面図
【図５】同屋外フードの部品の構成を示す斜視図
【図６】本発明の実施の形態２の屋外フードのフィルタを示す正面図
【図７】同屋外フードのフィルタを示す正面図
【図８】同屋外フードのフィルタを示す正面図
【図９】本発明の実施の形態３の屋外フードの部品構成を示す斜視図
【図１０】本発明の実施の形態４の屋外フードの構成を示す断面図
【図１１】同屋外フードの構成を示す断面図
【図１２】従来の屋外フードの構成を示す斜視図
【符号の説明】
【００６４】
１      壁内
２      室内
３      室外
４      ダクト
５      筒部
５ａ    筒部
６      外壁
７      開口部
８      本体
９      フード
１０    フィルタ
１０ａ  フィルタ
１１    シャッター
１１ａ  シャッター
１２    軸  
１３    面
１３ａ  面
１４    打突部材
１５    目
１６    被打突部
１７    外周
１８    伝播線
１９    交線
２０    引掛部
２１    受け部
２２    本体固定用筒部
２３    室内側接続筒部
２４    フィルタユニット
２５    フィルタ側筒端部
２６    シャッター側筒端部
【図１】
2008180431.tif 000003
【図２】
2008180431.tif 000004
【図３】
2008180431.tif 000005
【図４】
2008180431.tif 000006
【図５】
2008180431.tif 000007
【図６】
2008180431.tif 000008
【図７】
2008180431.tif 000009
【図８】
2008180431.tif 000010
【図９】
2008180431.tif 000011
【図１０】
2008180431.tif 000012
【図１１】
2008180431.tif 000013
【図１２】
2008180431.tif 000014